(57)【要約】【課題】  映像ストリームのファイル名をとびとびにする。【解決手段】  最新記録シーンの管理情報を読込み、ファイル番号ｎを検出する（Ｓ３）。最新記録シーンの記録時間ｔ（ｍｉｎ）を検出する（Ｓ４）。次に記録するシーンのファイル名のファイル番号Ｎ（＝ｔ＋ｎ＋１）をセットする（Ｓ５）。ファイル番号Ｎを含むファイル名で次のシーンを記録し（Ｓ６〜Ｓ９）、同じファイル番号を含むオブジェクト情報ファイルを作成する（Ｓ１０）。【選択図】  図３
2008113111.tif 000002
【特許請求の範囲】
【請求項１】
画像データを予め決められたファイル形式に従って記録媒体に記録する記録手段と、
記録開始から記録停止までの間に前記記録媒体に記録される一連の動画像データを一つの動画像ファイルとして管理すると共に、前記動画像ファイルに対して番号を含むファイル名を付与してファイル管理を行う管理手段とを備え、
前記管理手段は、第１のシーンの前記動画像ファイルに係る予め決められた条件に応じた数を前記第１のシーンの動画像ファイルの番号に加えた番号を、前記第１のシーンの動画像ファイルの記録の後に記録する第２のシーンの前記動画像ファイルに対して付与する
ことを特徴とする記録装置。
【請求項２】
前記予め決められた条件は、前記第１のシーンの記録時間であることを特徴とする請求項１に記載の記録装置。
【請求項３】
前記予め決められた条件は、前記第１のシーンの動画像ファイルのファイルサイズであることを特徴とする請求項１又は２に記載の記録装置。
【請求項４】
前記動画像データを出力する撮像手段を備え、
前記撮像手段は、絞りとシャッタースピードを被写体の明るさに応じて自動的に調整する自動露出調整手段を有し、
前記予め決められた条件は、前記第１のシーン記録中に前記自動露出調整手段が検出する前記被写体の明るさの変化量が所定値以上となる回数である
ことを特徴とする請求項１乃至３の何れか１項に記載の記録装置。
【請求項５】
前記動画像データを出力する撮像手段を備え、
前記撮像手段は、光源の色温度を検出し、撮像した画像のホワイトバランスを自動的に調整する自動ホワイトバランス調整手段を有し、
前記予め決められた条件は、前記第１のシーン撮影中に前記ホワイトバランス調整手段が検出する前記色温度の変化量が所定以上となる部分である
ことを特徴とする請求項１乃至３の何れか１項に記載の記録装置。
【請求項６】
前記記録手段は更に、入力された音声データを前記動画像データと共に記録し、
前記予め決められた条件は、前記第１のシーン記録中に前記入力された音声データのレベルの変化量が所定以上となるかまたは前記音声レベルが所定以下となることである
ことを特徴とする請求項１乃至５の何れか１項に記載の記録装置。
【請求項７】
前記動画像ファイルに対応して、記録時刻またはファイル管理のための管理情報を記録した管理情報ファイルが生成され、前記動画像ファイルに付与される番号と同じ番号を有するファイル名を有する事で、前記動画像ファイルと前記管理情報ファイルが組みで管理される事を特徴とする請求項１乃至６の何れか１項に記載の記録装置。
【請求項８】
前記管理手段は、前記予め決められた条件に応じて決定した数が予め決められた最大値を超える場合、前記第１のシーンの動画像ファイルの番号に対し、前記最大値を加えた番号を前記第２の動画像ファイルに付与することを特徴とする請求項１乃至７に記載の記録装置。
【請求項９】
一つの前記動画像ファイルを２つのファイルに分割する分割指示に応じて、前記管理手段は、前記分割指示によって前記第１のシーンの動画像ファイルを分割した場合、分割後に生成された２つの動画像ファイルのうち前部分のファイルには元々の分割前のファイル名と同一のファイル名を付与し、後部分のファイルに対し、分割前の前記動画像ファイルの番号とその次のシーンの動画像ファイルの番号の間の番号を付与する
ことを特徴とする請求項１乃至８の何れか１項に記載の記録装置。
【請求項１０】
前記管理手段は、分割前の前記第１の動画像ファイルにおける分割位置と、前記第１のシーンの動画像ファイルの番号と前記第２のシーンの動画像ファイルの番号の差とに基づいて、前記後部分のファイルに対して付与する番号を決定することを特徴とする請求項９に記載の記録装置。
【請求項１１】
前記第１のシーンの動画像ファイルの番号と前記第２のシーンの動画像ファイルの番号の差が１の場合は、前記第１のシーンの動画像ファイルの分割編集を禁止する事を特徴とする請求項９又は１０に記載の記録装置。
【発明の詳細な説明】
【技術分野】
【０００１】
本発明は、シーン毎に映像をファイル化して記録する装置に関する。
【背景技術】
【０００２】
近年、デジタルビデオカメラでは、磁気テープを映像記録媒体として用いる物に加え、ランダムアクセスが可能な記録媒体、例えば、不揮発性メモリを使用するメモリカード、ハードディスク装置又は光ディスク等を使用する製品が実用化されている。ランダムアクセスが可能であると、記録映像をその記録位置に関わらず、瞬時に頭出し可能である。また、先に記録した映像に上書き記録してしまうことを防止する措置が、ファイル管理上に用意されている。
【０００３】
また、記録の際、事後に、コンテンツの編集が容易になるように、動画データをシーン毎に独立したストリームファイルとして記録媒体に記録することが提案されている（例えば、特許文献１参照）。記録映像は、撮影後に、パーソナルコンピュータ、ＤＶＤ（Digital Versatile Disk）記録機能付きの映像記録再生装置等に転送され、編集の後に、長期の保存に適したＤＶＤなどに記録されるのが、一般的である。
【０００４】
メモリカードを記録媒体とする場合の記録フォーマットとして、図９に示すようなＳＤ−Ｖｉｄｅｏフォーマットが知られている。ユーザが１シーンを撮影するごとに、映像ストリームファイルとオブジェクト情報ファイルが記録される。映像ストリームファイルの拡張子はＭＯＤであり、オブジェクト情報ファイルの拡張子はＭＯＩである。映像ストリームファイルのファイル名は、例えば、ＭＯＶｘｘｘ．ＭＯＤとなり、オブジェクト情報ファイルのファイル名はＭＯＶｘｘｘ．ＭＯＩファイルとなり、「ｘｘｘ」の３桁部分に一連の１６進数のシリアル番号が割り当てられる。
【０００５】
図９では、メモリカードの記録領域のルートディレクトリの下に動画に関する情報を格納するフォルダＳＤ＿ＶＩＤＥＯが置かれる。フォルダＳＤ＿ＶＩＤＥＯの下には、管理情報ファイルを収納する管理情報フォルダＭＮＧ＿ＩＮＦＯと、プログラム単位で動画データを格納するプログラムフォルダＰＲＧ００１が置かれる。
【０００６】
管理情報フォルダＭＮＧ＿ＩＮＦＯには、全体のバージョン情報及びテキスト情報を格納している管理データファイルＭＧＲ＿ＤＡＴＡ、全体のプログラム数、再生時間及び属性等の情報を格納するプログラム管理ファイルＰＲＧ＿ＭＧＲ、及び、プレイリストの管理情報を格納するプレイリスト管理ファイルＰＬＳＴ＿ＭＧＲが格納される。
【０００７】
プログラムフォルダＰＲＧ００１の下には、圧縮動画データを格納するストリームファイル（ＭＯＶ）と、タイムスタンプ等のオブジェクト情報を格納するオブジェクト情報ファイル（ＭＯＩ）が、シーン毎に対で格納される。プログラム情報ファイル（ＰＧＩ）には、１プログラム内のシーン数等が格納される。
【０００８】
この記録方式では、記録されたデータを他のメディアに記録する場合、希望のシーンに対応する１又は複数のファイルのみを読み出して転送すれば良い。この記録方式は、シーン毎にストリームが別ファイルとなるので、巨大ファイルができにくく、また、ファイルサイズに制限のあるシステムとの親和性がよい、という利点がある。
【０００９】
一方、ＤＶＤ−ＶＲ形式のように、動画データを１つのストリームファイルに格納し、チャプタ・タイトル等のシーンの識別情報を別の管理情報ファイルに記録するファイリング方式で、同様の編集をしようとすると、大きなサイズの１つのストリームファイルから必要な部分をシーク操作で切り出す必要がある。
【特許文献１】特開２００３−０２２４３４号公報
【発明の開示】
【発明が解決しようとする課題】
【００１０】
ＳＤ−Ｖｉｄｅｏフォーマットのように、シーンとファイルが１対１で対応する記録形式では、ファイル名が重複しないようにする必要がある。
【００１１】
前述のように、撮影した順にファイル番号を一つづつ加えながら画像データを記録した場合、記録された画像データは記録された順にファイル番号が連続することになる。
【００１２】
しかしながら、例えば、図９に例示するように、ファイルＭＯＶ００１．ＭＯＤ，ＭＯＶ００２．ＭＯＤ，ＭＯＶ００３．ＭＯＤで３つのシーンが記録されている場合に、２番目のシーンであるファイルＭＯＶ００２．ＭＯＤを２つのシーンに分割しようとする場合、分割後の一方のファイル名をどうすべきかが問題になる。
【００１３】
例えば、連続するシリアル番号になるファイル名ＭＯＶ００３．ＭＯＤを使用できれば、シーンの連続性が明確になるが、図９の場合では、既にファイル名ＭＯＶ００３．ＭＯＤは、使用済みである。使用済みのファイル名ＭＯＶ００３．ＭＯＤ以降のファイル名のシリアル番号部分を繰り下げれば、ファイル名の衝突を避け得るが、シーン数が多い場合には、現実的ではない。また、未使用のシリアル番号を含むファイル名、例えば、ＭＯＶ００４．ＭＯＤを使用すれば、分割後の前半のファイルＭＯＶ００２．ＭＯＤと後半のファイルとの間の番号が不連続になってしまう。そのため、ファイル番号だけでは、これら二つのファイルが元々一つのファイルであり、関連しているファイルであるということがわかりづらくなってしまう。
【００１４】
例えば、記録済のデータを他の記録媒体にコピーする場合、分割された複数のファイルをまとめてコピーしたい場合がある。
【００１５】
しかし、分割後の複数のファイル番号が離れてしまっている場合、ファイル番号からファイル番号だけでは分割された複数のファイルを想定することは困難であり、各ファイルの内容を再生して確認する必要がある。
【００１６】
そこで、本発明は、上記の問題点に鑑み、シーンとファイルが１対１で対応し、シーン順にファイル名が与えられる記録形フォーマットに準拠しつつ、シーンの分割した場合でも、分割後の複数のファイルが関連するファイルであることを容易に認識可能な装置を提示することを目的とする。
【課題を解決するための手段】
【００１７】
上記の目的を達成するために、本発明に係る記録装置は、画像データを予め決められたファイル形式に従って記録媒体に記録する記録手段と、記録開始から記録停止までの間に前記記録媒体に記録される一連の動画像データを一つの動画像ファイルとして管理すると共に、前記動画像ファイルに対して番号を含むファイル名を付与してファイル管理を行う管理手段とを備え、前記管理手段は、第１のシーンの前記動画像ファイルに係る予め決められた条件に応じた数を前記第１のシーンの動画像ファイルの番号に加えた番号を、前記第１のシーンの動画像ファイルの記録の後に記録する第２のシーンの前記動画像ファイルに対して付与することを特徴とする。
【００１８】
請求項２に係る記録装置は、前記予め決められた条件は、前記第１のシーンの記録時間であることを特徴とする。
【００１９】
請求項３に係る記録装置は、前記予め決められた条件は、前記第１のシーンの動画像ファイルのファイルサイズであることを特徴とする。
【００２０】
請求項４に係る記録装置は、前記動画像データを出力する撮像手段を備え、前記撮像手段は、絞りとシャッタースピードを被写体の明るさに応じて自動的に調整する自動露出調整手段を有し、前記予め決められた条件は、前記第１のシーン記録中に前記自動露出調整手段が検出する前記被写体の明るさの変化量が所定値以上となる回数であることを特徴とする。
【００２１】
請求項５に係る記録装置は、前記動画像データを出力する撮像手段を備え、前記撮像手段は、光源の色温度を検出し、撮像した画像のホワイトバランスを自動的に調整する自動ホワイトバランス調整手段を有し、前記予め決められた条件は、前記第１のシーン撮影中に前記ホワイトバランス調整手段が検出する前記色温度の変化量が所定以上となる部分であることを特徴とする。
【００２２】
請求項６に係る記録装置は、前記記録手段は更に、入力された音声データを前記動画像データと共に記録し、前記予め決められた条件は、前記第１のシーン記録中に前記入力された音声データのレベルの変化量が所定以上となるかまたは前記音声レベルが所定以下となることであることを特徴とする。
【００２３】
請求項７に記録装置は、前記動画像ファイルに対応して、記録時刻またはファイル管理のための管理情報を記録した管理情報ファイルが生成され、前記動画像ファイルに付与される番号と同じ番号を有するファイル名を有する事で、前記動画像ファイルと前記管理情報ファイルが組みで管理される事を特徴とする。
【００２４】
請求項８に係る記録装置は、前記管理手段は、前記予め決められた条件に応じて決定した数が予め決められた最大値を超える場合、前記第１のシーンの動画像ファイルの番号に対し、前記最大値を加えた番号を前記第２の動画像ファイルに付与することを特徴とする。
【００２５】
請求項９に係る記録装置は、一つの前記動画像ファイルを２つのファイルに分割する分割指示に応じて、前記管理手段は、前記分割指示によって前記第１のシーンの動画像ファイルを分割した場合、分割後に生成された２つの動画像ファイルのうち前部分のファイルには元々の分割前のファイル名と同一のファイル名を付与し、後部分のファイルに対し、分割前の前記動画像ファイルの番号とその次のシーンの動画像ファイルの番号の間の番号を付与することを特徴とする。
【００２６】
請求項１０に係る記録装置は、前記管理手段は、分割前の前記第１の動画像ファイルにおける分割位置と、前記第１のシーンの動画像ファイルの番号と前記第２のシーンの動画像ファイルの番号の差とに基づいて、前記後部分のファイルに対して付与する番号を決定することを特徴とする。
【００２７】
請求項１１に係る記録装置は、前記第１のシーンの動画像ファイルの番号と前記第２のシーンの動画像ファイルの番号の差が１の場合は、前記第１のシーンの動画像ファイルの分割を禁止する事を特徴とする。
【発明の効果】
【００２８】
本発明によれば、前シーンの撮影時間等の情報で次シーンでのファイル番号のスキップ数を規定している。長時間撮るほど後の分割編集で分割が行われる確率が上がると考えられるので、それに見合った分割編集が可能なビデオカメラを提供することができる。
【００２９】
また、前シーン撮影時の露出設定の変化点などカメラ撮影情報によって次シーンでのファイル番号のスキップ数を規定することが出来るため、撮影中に屋外、室内を移動した場合など、後の編集で分割したくなると予測できる数となり、分割編集に好都合なビデオカメラを提供することができる。
【００３０】
さらに、前記分割編集によって分割された後も、前シーンと後シーンそれぞれのファイル番号の間のファイル番号が、分割ファイルによって発生するファイルに付与されるため、分割編集後でもユーザにシーンの時系列の並びが把握しやすい。
【発明を実施するための最良の形態】
【００３１】
以下、図面を参照して、本発明の実施例を詳細に説明する。
【実施例１】
【００３２】
図１は、本発明の一実施例を適用した撮像装置の概略構成ブロック図である。撮像装置１０は、具体的には、動画記録媒体としてメモリカード、ＨＤＤ又は記録可能光ディスク等のランダムアクセス可能な記録媒体を使用するデジタルビデオカメラ又はデジタルスチルカメラ等である。ただし、実線は画像データ又は音声データの流れを示し、破線は制御信号を示す。
【００３３】
撮像装置１０は、撮像レンズ１２、絞り１４、ＣＣＤ撮像素子１６、ＣＤＳ（相関二重サンプリング）／ＡＧＣ（自動利得制御）回路１８、デジタル信号処理回路２０、フレームメモリ２２、画素数調整回路２４、データバス２６、マイクロフォン２８、増幅器３０、Ａ／Ｄ変換器３２、液晶ディスプレイ（ＬＣＤ）３４、ＬＣＤ駆動装置３６、ＭＰＥＧコーデック３８、ビデオ出力端子４０、ＮＴＳＣエンコーダ４２、記録媒体４４、記録再生装置４６、ストリームバッファ４８、ＵＳＢ端子５０及びＵＳＢコントローラ５２を具備する。
【００３４】
撮像装置１０は、更に、操作キー６０、メインマイクロコンピュータ（メインマイコン）６２、ＲＡＭ６４、ＥＥＰＲＯＭ６６、制御信号を伝送する制御バス６８を具備する。
【００３５】
撮影レンズ１２は被写体の光学像をＣＣＤ撮像素子１６の撮像面上に結像する。絞り１４は被写体の光量を調節する。ＣＣＤ撮像素子１６は、撮像レンズ１２及び絞り１４による光学像を電気画像信号に変換する。ＣＤＳ／ＡＧＣ回路１８は、ＣＣＤ撮像素子１６からの画像信号をサンプルホールドし、ノイズを除去し、信号レベルを調整する。デジタル信号処理回路２０は、ＣＤＳ／ＡＧＣ回路１８からの画像信号をアナログ形式からデジタル形式に変換し、カメラで周知の信号処理（例えば、ガンマ補正、色バランス調整、輝度／色分離）等を施す。
【００３６】
フレームメモリ２２は、デジタル信号処理回路２０からのデジタル画像信号をフレーム順に一時記憶する。画素数調整回路２４は、フレームメモリ２２に格納される画像データの画素数を所定画素数に調整する。データバス２６は、ＤＭＡコントローラ（不図示）と一体に機能して、画像データ及び音声データを転送するのに使用される。
【００３７】
マイクロフォン２８は、周囲の音声を取込み、電気音声信号に変換する。増幅器３０は、マイクロフォン２８からの音声信号を適当なレベルまで増幅する。Ａ／Ｄ変換器３２は、増幅器３０のアナログ出力音声信号をデジタル信号に変換する。
【００３８】
液晶ディスプレイ（ＬＣＤ）３４は、ＬＣＤ駆動装置３６により駆動されて、撮影時には、画素数調整回路２４からの画像データ（いわゆるカメラ画像信号）に従う画像を表示する。また、再生時には、ＭＰＥＧコーデック３８からの画像データ（いわゆる再生画像データ）に従う画像を表示する。本実施例では、グラフィックベースのＧＵＩ（Graphical User Interface）又は文字ベースのＣＵＩ（Character-based User Interface）の画面をＬＣＤ３４の画面上に表示可能である。
【００３９】
ＭＰＥＧコーデック３８は、ＭＰＥＧ２の圧縮符号化方式に従い、画素数調整回路２４からの画像データ及びＡ／Ｄ変換器３２からの音声データを圧縮し、記録媒体４４から再生された圧縮データを伸長する。他の動画圧縮方式として、Ｍｏｔｉｏｎ  ＪＰＥＧ、ＪＰＥＧ２０００及びＭＰＥＧ４等を利用可能である。
【００４０】
ＮＴＳＣエンコーダ４２は、液晶ディスプレイ３４で画像表示される画像信号をＮＴＳＣ形式のアナログ信号に変換して、ビデオ出力端子４０に出力する。記録再生装置４６は、ＭＰＥＧコーデック３２による圧縮データを記録媒体４４に記録し、また記録媒体４４に記録される圧縮データを読み出す。
【００４１】
記録媒体４４は、不揮発性のフラッシュメモリカード、ＨＤＤ又はＤＶＤ等のランダムアクセス記録媒体である。また、記録媒体４４には、図２に示すようなディレクトリ構造でファイルが格納される。このディレクトリ構成は、後で説明する。
【００４２】
記録再生装置４６は、ＭＰＥＧコーデック３８からの圧縮データを記録媒体４４に記録し、記録媒体４４からの圧縮データを再生する。ストリームバッファ４８は、ＭＰＥＧコーデック３８からの圧縮データを記録媒体４４に記録する前に一時的に記録・保持する。
【００４３】
ＵＳＢ端子５０は、ＵＳＢコントローラ５２からのデータを出力する。ＵＳＢコントローラ５２は、メインマイコン６２で指定されたデータ、例えば、記録媒体４４から再生された圧縮データを、ＵＳＢ端子５０に出力する。
【００４４】
操作キー６０は、撮像装置１０の動作モード等、及び、記録先、例えば、記録媒体４４をメインマイコン６２に指示するのに使用される。更に、図示していないが、操作キー６０は、撮像スイッチ、記録スイッチ、停止スイッチ及び再生スイッチを具備し、これらはそれぞれ撮像モード、記録モード及び再生モードで使用される。操作キー６０は十字キーと決定キーを具備し、これらは、各種の選択操作と決定操作に使用される。
【００４５】
メインマイコン６２は、操作キー６０の操作に応じて、撮像装置１０の全体を制御する。メインマイコン６２は、一時的なデータをＲＡＭ６４に保管する。ＥＥＰＲＯＭ６６は不揮発性メモリであり、後述する管理情報（自動初期化、ファイナライズ、セットアップ後の動作）を記憶する。制御バス６８は、メインマイコン６２からの制御信号と操作キー６０からの制御信号を伝送する。
【００４６】
撮像装置１０の撮像、記録及び再生の基本動作を説明する。動画カメラモードでは、撮影レンズ１２は被写体の光学像をＣＣＤ撮像素子１６の撮像面上に結像する。ＣＣＤ撮像素子１６は撮像面上の光学像に対応する被写体の画像信号を出力する。ＣＤＳ／ＡＧＣ回路１８は、ＣＣＤ撮像素子１６からの画像信号のノイズを除去し、画像信号を所定レベルに増幅する。デジタル信号処理回路２０は、ＣＤＳ／ＡＧＣ回路１８の出力画像信号をデジタル信号に変換し、所定のカメラ信号処理の後、順にフレームメモリ２２に記憶する。フレームメモリ２２は、記録順に画像データを画素数調整回路２４に出力する。画素数調整回路２４は、フレームメモリ２２からの画像データの画素数を調整し、データバス２６を介してＬＣＤ駆動装置３６に印加する。ＬＣＤ駆動装置３６は、画素数調整回路２４の出力画像信号に従い液晶ディスプレイ３４を駆動する。これにより、ユーザは、被写体の範囲と構図を確認できる。
【００４７】
記録モードでは、ＭＰＥＧコーデック３８は、画素数調整回路２４からの画像データを圧縮符号化し、圧縮画像データを記録再生装置４６に転送する。記録再生装置４６は、圧縮画像データを記録媒体４４に記録する。このようにして、撮影された画像の圧縮画像データが記録媒体４４に格納される。
【００４８】
再生モードでは、記録再生装置４６は、記録媒体４４から指定の画像の圧縮画像データを読み出し、ＭＰＥＧコーデック３８に転送する。ＭＰＥＧコーデック３８は、記録再生装置４６からの圧縮画像データを伸長して画像データを復元する。復元された画像データは、ＬＣＤ駆動装置３６を介して液晶ディスプレイ３４に印加される。これにより、再生画像が液晶ディスプレイ３４の画面に表示される。
【００４９】
ここで、図２を参照して、記録媒体４４のディレクトリ構成とファイル名の決定法を説明する。図２は、記録媒体４４のディレクトリ構成である。
【００５０】
図２において、ルートディレクトの直下に、動画に関する情報を格納するフォルダＳＤ＿ＶＩＤＥＯが置かれる。フォルダＳＤ＿ＶＩＤＥＯの下には、管理情報ファイルを収納する管理情報フォルダＭＮＧ＿ＩＮＦＯと、プログラム単位で動画データを格納するプログラムフォルダＰＲＧ００１が置かれる。
【００５１】
管理情報フォルダＭＮＧ＿ＩＮＦＯには、全体のバージョン情報及びテキスト情報を格納している管理データファイルＭＧＲ＿ＤＡＴＡ、全体のプログラム数、再生時間及び属性等の情報を格納するプログラム管理ファイルＰＲＧ＿ＭＧＲ、及び、プレイリストの管理情報を格納するプレイリスト管理ファイルＰＬＳＴ＿ＭＧＲが格納される。ここまでは、従来例（図９）と同じ同じである。
【００５２】
プログラムフォルダＰＲＧ００１の下には、圧縮動画データを格納するストリームファイル（ＭＯＶ）と、タイムスタンプ等のオブジェクト情報を格納するオブジェクト情報ファイル（ＭＯＩ）が、シーン毎に対で格納される。但し、本実施例では、ストリームファイルとオブジェクト情報ファイルのファイル名の３桁の１６進数部分で、とびとびの値を採用する。ファイル名の生成規則は、後述する。図２に示す例では、拡張子部分を除いたファイル名本体として、ファイル分割に備えて、ＭＯＶ００１，ＭＯＶ００５，ＭＯＶ００８，・・・というようにとびとびの文字列にする。なお、プログラム情報ファイル（ＰＧＩ）には、従来例と同様に、１プログラム内のシーン数等が格納される。
【００５３】
ＳＤ−Ｖｉｄｅｏフォーマットでは、１つのプログラムフォルダに格納できるシーン数は９９に限定されており、ファイル名のボディ部”ＭＯＶｘｘｘ”の”ｘｘｘ”には、１６進数表記で００１〜ＦＦＦのうちの９９通りの数字列を使用できる。
【００５４】
図２乃至４を参照して、本実施例の動作を説明する。図３は、各シーンの映像ストリーム及びオブジェクト情報のファイル名生成と記録のフローチャートである。図４は各シーンの映像ストリームを示す図である。図３に示すフローでは、記録済みシーンの分割数を記録時間で定量的に評価し、ファイル名のファイル番号部分を、その分割数を賄える量だけジャンプさせるようにした。
【００５５】
まず、ユーザがモードダイヤルにより動画撮影モードを指定するか、動画撮影モードで電源がオンになると、記録媒体４４が認識され、記録シーンの管理情報が読み込まれ（Ｓ１）、シーンの記録があるかどうかが検出される（Ｓ２）。シーンの記録がないと（Ｓ２）、ファイル番号Ｎ＝００１とセットされる（Ｓ１１）。
【００５６】
シーンの記録があると（Ｓ２）、直前に記録された最新記録シーンの管理情報が読み込まれ、ファイル名中のファイル番号ｎが検出される（Ｓ３）。最新記録シーンの管理情報から記録時間ｔ（ｍｉｎ）が分単位で検出され（Ｓ４）、ファイル番号Ｎ＝ｔ＋ｎ＋１がセットされる（Ｓ５）。
【００５７】
ユーザが動画像撮影スイッチを押下すると、記録が開始される（Ｓ６）。ファイル番号Ｎを含むファイル名の映像ストリームファイルＭＯＶ＋（Ｎの１６進数表記）．ＭＯＤがオープンされ、圧縮データが順次、書き込まれる（Ｓ７）。
【００５８】
ユーザが停止スイッチを押下すると、記録動作が終了し（Ｓ８）、映像ストリームファイルＭＯＶ＋（Ｎの１６進数表記）．ＭＯＤがクローズされる（Ｓ９）。関連するオブジェクト情報ファイルＭＯＶ＋（Ｎの１６進数表記）．ＭＯＩがオープンされ、タイムスタンプ等のオブジェクト情報が格納され、クローズされる（Ｓ１０）。これにより、１シーンの記録が終了する。
【００５９】
図４に示す記録例を参照して、ファイル名の変遷を説明する。図４に示す例では、３つのシーンが記録されており、シーン１，２，３の記録時間は、それぞれ、３分、２分及び４分である。
【００６０】
図４に示す例で、シーン１は、記録シーンがない状態から記録を開始しているので、ファイル名の中のファイル番号Ｎは００１となり、映像ストリームファイルＭＯＶ００１．ＭＯＤとオブジェクト情報ファイルＭＯＶ００１．ＭＯＩが、図２及び図４に示すように記録される。
【００６１】
シーン２に対しては、直前に記録されたシーン１の記録時間が３分であるので、ｔ＝３となり、ファイル名のファイル番号が００１であるので、ｎ＝１となる。従って、シーン２に対するファイル名のファイル番号Ｎは、
Ｎ＝ｔ＋ｎ＋１＝３＋１＋１＝５
となり、映像ストリームファイルＭＯＶ００５．ＭＯＤとオブジェクト情報ファイルＭＯＶ００５．ＭＯＩが、記録される。
【００６２】
シーン３に対しては、直前に記録されたシーン２の記録時間が２分であるので、ｔ＝２となり、ファイル名のファイル番号が００５であるので、ｎ＝５となる。従って、シーン３に対するファイル名のファイル番号Ｎは、
Ｎ＝ｔ＋ｎ＋１＝２＋５＋１＝８
となり、映像ストリームファイルＭＯＶ００８．ＭＯＤとオブジェクト情報ファイルＭＯＶ００８．ＭＯＩが、記録される。
【００６３】
ちなみに、シーン３の記録時間は４分であるので、次のシーン４に対するファイル名のファイル番号は、００８＋４＋１＝００Ｄとなり、映像ストリームファイルのファイル名はＭＯＶ００Ｄ．ＭＯＤとなり、オブジェクト情報ファイルのファイル名はＭＯＶ００Ｄ．ＭＯＩとなる。
【００６４】
図３に示すフローチャートでは、シーンの分割可能性として、１分程度での分割を想定している。より短い時間単位での分割を想定する場合には、記録時間ｔをより小さな時間単位で評価すれば良い。また、ｔの最大値を設定しておき、直前に記録したシーンの記録時間がその最大時間を越える場合には、最大値を使って、次のシーンのファイル番号を決定してもよい。
【００６５】
図２及び図４に示すファイル名の例では、シーン１とシーン２の間に、４つ分のファイル名の余裕がある。そのため、シーン１を最大、４つに分割した場合であっても、途中に他のシーンのファイルを含まずに、これら分割したファイルのファイル番号が順次増加することになる。シーン１を２分割した例を図５に示す。図５では、シーン１の２分目の位置で分割している。分割に伴ってストリームファイルＭＯＶ００１．ＭＯＤ及びオブジェクト情報ファイルＭＯＶ００１．ＭＯＩも分割され、分割点より前部分には、同じファイル名が使用される。分割点より後部分のファイルのファイル名には、分割前の前後のシーンのファイル名のファイル番号として、シーン１の記録時間に対する分割位置で按分したファイル番号を設定する。図５に示す例では、シーン１のファイル番号が００１、シーン２のファイル番号が００５であるので、
（２／３）×（（００５−００１）−００１）＋１＝００３
となり、分割点より後部分のストリームファイルにはＭＯＶ００３．ＭＯＤ、オブジェクト情報ファイルにはＭＯＶ００３．ＭＯＩというファイル名が付与される。
【００６６】
記録シーンの分割数は、記録時間以外に、ファイルサイズによっても定量化できる。通常、予想される最短シーンのファイルサイズは、おおむね、事前に分かっているからである。従って、図３に示すフローで、記録時間の代わりにファイルサイズを使って、新規ファイルのファイル名に含まれるファイル番号Ｎを決定しても良い。例えば、１００ＭＢを単位としてファイルサイズの予想分割数ｔを設定し、ファイル番号Ｎを決定する。
【００６７】
また、上記の諸条件でファイル番号が進む場合、次シーンで実際にファイル番号が用いられるまでは、前記ファイル番号の進む数に制限がある構成としてもよい。
【００６８】
なお、連続するシーン間に、ファイル名のファイル番号部分として利用可能なファイル番号が存在しない場合には、シーン分割を禁止する構成としてもよい。
【実施例２】
【００６９】
実施例１では、映像ストリームの記録時間又はファイルサイズに着目したが、実施例２では、映像ストリームの露出量に着目する。例えば、露出が大きく変動する場合、編集の可能性が高いこと、特に、露出不足又は露出過剰部分を削除することが多いと考えられるからである。
【００７０】
図６は、実施例２の映像ストリームのファイル名生成と記録のフローチャートである。図７は、映像ストリームと露光量の関係の一例の模式図を示す。図８は、図７に示す例に対する映像ストリームのディレクトリ構成とファイル配置を示す図である。
【００７１】
図６に示すフローは、そのステップＳ２１〜Ｓ２３，Ｓ２６〜Ｓ３１が、図３のステップＳ１〜Ｓ３，Ｓ６〜Ｓ１１と同じ作用であり、ファイル番号Ｎを決定する部分（Ｓ２４，Ｓ２５）が、図３に示すフロートは異なる。
【００７２】
まず、ユーザがモードダイヤルにより動画撮影モードを指定するか、動画撮影モードで電源がオンになると、記録媒体４４が認識され、記録シーンの管理情報が読み込まれ（Ｓ２１）、シーンの記録があるかどうかが検出される（Ｓ１２）。シーンの記録がないと（Ｓ２２）、ファイル番号Ｎ＝００１とセットされる（Ｓ３１）。
【００７３】
シーンの記録があると（Ｓ２２）、最新記録シーンの管理情報が読み込まれ、ファイル名中のファイル番号ｎが検出される（Ｓ２３）。最新記録シーンに対し、ＥＶ値の変化回数ｘを検出し（Ｓ２４）、ファイル番号Ｎ＝ｔ＋ｎ＋１がセットされる（Ｓ２５）。ＥＶ値の変化回数ｘは、例えば、１０秒間にＥＶ値が５以上、変化する回数で算出される。ステップＳ２４の作用の詳細は、後述する。
【００７４】
ユーザが動画像撮影スイッチを押下すると、記録が開始される（Ｓ２６）。ファイル番号Ｎを含むファイル名の映像ストリームファイルＭＯＶ＋（Ｎの１６進数表記）．ＭＯＤがオープンされ、圧縮データが順次、書き込まれる（Ｓ２７）。
【００７５】
ユーザが停止スイッチを押下すると、記録動作が終了し（Ｓ２８）、映像ストリームファイルＭＯＶ＋（Ｎの１６進数表記）．ＭＯＤがクローズされる（Ｓ２９）。関連するオブジェクト情報ファイルＭＯＶ＋（Ｎの１６進数表記）．ＭＯＩがオープンされ、タイムスタンプ等のオブジェクト情報が格納され、クローズされる（Ｓ３０）。これにより、１シーンの記録が終了する。
【００７６】
ステップＳ２４の動作を具体的に説明する。ＥＶ値は、被写体の明るさを示す数値であり、撮影時のシャッタ速度と絞り値に依存する。シャッタ速度が１秒で、絞り値Ｆが１．０のとき、ＥＶ＝０である。シャッタ速度が遅い方向に１段進むか、または絞り値が小絞り側に１段進むごとに、値が１だけ増加する。例えば、シャッタ速度が１／２秒で絞り値Ｆが１．０のとき、ＥＶ＝１となる。シャッタ速度が１秒で絞り値Ｆが１．４のときにも、ＥＶ＝１となる。シャッタ速度が１／２秒で、絞り値Ｆが１．４では、ＥＶ＝２となる。シャッタ速度が１／６０で絞り値Ｆが４のとき、ＥＶ＝１に対してシャッタ速度で６段高速になり、絞り値が４段開いているので、ＥＶ＝１０となる。
【００７７】
本実施例では、撮影中に１秒ごとのＥＶ値が、オブジェクト情報ファイルに記録される。ステップＳ２４では、最新記録シーンのオブジェクト情報ファイルから任意の１０秒間にＥＶ値が５以上変化している地点を検索し、その地点数を変数ｘに格納する。通常の撮影ではＥＶ値はそれほど変動しないが、撮影を継続したまま、室内から屋外へ、又はその逆に出入りしたりするなど、撮影者が何らかの動きをした場合、ＥＶ値が大きく変動する。
【００７８】
図７では、３つのシーンを記録する例を示す。図７は、シーンの記録とＥＶ値の時間的変化を時系列で示ししている。１０秒間あたりＥＶ値が５以上変化する変化点が、シーン１では２カ所あり、シーン２では１カ所あり、シーン３には存在しない。
【００７９】
図７に示す例で、シーン１は最初のシーンであるので、ファイル番号Ｎは００１となり、映像ストリームファイルＭＯＶ００１．ＭＯＤとオブジェクト情報ファイルＭＯＶ００１．ＭＯＩが記録される。
【００８０】
シーン２を記録しようとするとき、シーン１にはＥＶ値の変化点が２カ所あるので、ｘ＝２であり、ファイル番号Ｎ＝ｎ＋ｘ＋１＝００１＋２＋１＝００４となり、映像ストリームファイルのファイル名がＭＯＶ００４．ＭＯＤとなり、オブジェクト情報ファイルのファイル名がＭＯＶ００４．ＭＯＩとなる。
【００８１】
シーン２には変化点が１カ所あるので、シーン３に対するファイル番号Ｎは００４＋１＋１＝００６となり、映像ストリームファイルのファイル名がＭＯＶ００６．ＭＯＤとなり、オブジェクト情報ファイルのファイル名がＭＯＶ００６．ＭＯＩとなる。
【００８２】
シーン３にはＥＶ値の変化点がないので、図示しないシーン４に対するファイル番号Ｎは００６＋１＝００７となり、映像ストリームファイルのファイル名がＭＯＶ００７．ＭＯＤとなり、オブジェクト情報ファイルのファイル名がＭＯＶ００７．ＭＯＩとなる。
【００８３】
この結果、図８に示すようなディレクトリ構成のファイル配置で、シーン１〜３の映像ストリームファイルＭＯＶ００１．ＭＯＤ，ＭＯＶ００４．ＭＯＤ，ＭＯＶ００６．ＭＯＤ及びオブジェクト情報ファイルＭＯＶ００１．ＭＯＩ，ＭＯＶ００４．ＭＯＩ，ＭＯＶ００６．ＭＯＩが格納される。この例では、シーン１の映像ストリームを３つまで分割しても、時間順とファイル名順の対応を維持できる。
【００８４】
ｘの最大値を設定しておき、直前に記録したシーンの露出変化の回数がその最大値を越える場合には、最大値を使って、次のシーンのファイル番号を決定してもよい。
【００８５】
記録済みのシーンを分割した場合、分割点より後のファイルに対し、実施例１と同様に、記録時間又はファイルサイズに従いファイル番号を決定する。
【００８６】
なお、本実施例では、前シーンの一定変化率以上のＥＶ値の変化点１カ所につき１だけ、次シーンの撮影で用いられるファイル番号を大きくしているが、前シーンのオブジェクト情報ファイルにホワイトバランス検出による色温度又はマイクからの音声レベルを記録しておき、色温度又は音声レベルの一定変化率以上の変化の変化数だけ、次シーンの撮影で用いられるファイル番号を増加してもよい。例えば、１０秒以内に２０００°Ｋ以上の変化があった場合に、１回の変化とカウントし、その回数だけ、次シーンのファイル番号を大きくする。音声レベルの場合、最大レベルを０ｄＢとして、例えば−３０ｄＢ以下の音声レベルになった回数をカウントし、その回数だけ、次シーンのファイル番号を大きくする。
【００８７】
また、上記の諸条件でファイル番号が進む場合、次シーンで実際にファイル番号が用いられるまでは、前記ファイル番号の進む数に制限がある構成としてもよい。
【００８８】
さらに、前シーンのファイル番号と次シーンのファイル番号の差が００１になっている場合など、シーンを分割して生成される後部分のファイルにファイル番号が与えられない場合は、前記分割編集を禁止する構成としてもよい。
【図面の簡単な説明】
【００８９】
【図１】本発明の一実施例を適用した撮像装置の概略構成ブロック図である。
【図２】記録媒体４４のディレクトリ構成とファイル配置の例である。
【図３】記録時間によりファイル番号を生成するファイル名生成と記録のフローチャートである。
【図４】シーン１，２，３の映像ストリームを示す模式図である。
【図５】図４に示す例で、シーン１の映像ストリームの分割例である。
【図６】ＥＶ値の変化回数によりファイル番号を生成するファイル名生成と記録のフローチャートである。
【図７】露光量と映像ストリームの関係の一例を示す模式図である。
【図８】図７に示す例に対する映像ストリームのディレクトリ構成とファイル配置の例を示す図である。
【図９】従来のディレクトリ構成とファイル配置の模式図である。
【符号の説明】
【００９０】
１０  撮像装置
１２  撮影レンズ
１４  絞り
１６  ＣＣＤ撮像素子
１８  ＣＤＳ／ＡＧＣ回路
２０  デジタル信号処理回路
２２  フレームメモリ
２４  画素数調整回路
２６  データバス
２８  マイクロフォン
３０  増幅器
３２  Ａ／Ｄ変換器
３４  液晶ディスプレイ（ＬＣＤ）
３６  ＬＣＤ駆動回路
３８  ＭＰＥＧコーデック
４０  ビデオ出力端子
４２  ＮＴＳＣエンコーダ
４４  記録媒体
４６  記録再生装置
４８  ストリームバッファ
５０  ＵＳＢ端子
５２  ＵＳＢコントローラ
６０  操作キー
６２  メインマイコン
６４  ＲＡＭ
６６  ＥＥＰＲＯＭ
６８  制御バス
【図１】
2008113111.tif 000003
【図２】
2008113111.tif 000004
【図３】
2008113111.tif 000005
【図４】
2008113111.tif 000006
【図５】
2008113111.tif 000007
【図６】
2008113111.tif 000008
【図７】
2008113111.tif 000009
【図８】
2008113111.tif 000010
【図９】
2008113111.tif 000011